(57)【要約】【課題】フォトクロミズム現象を呈する顔料を有効利用する用途を提供するとともに、ウエディングドレスに対する演出上の要求や着用者の要望を最大限に満たす。【解決手段】生地および前記生地に施された装飾からなり、前記装飾の少なくとも一部が、色彩可変部からなり、前記色彩可変部は、フォトクロミズム現象を呈する顔料を含み、前記顔料は、紫外線を照射すると、可逆的に変色することを特徴とするウエディングドレス。【選択図】なし【特許請求の範囲】
【請求項１】
生地および前記生地に施された装飾からなり、
前記装飾の少なくとも一部が、色彩可変部からなり、
前記色彩可変部は、フォトクロミズム現象を呈する顔料を含み、
前記顔料は、紫外線を照射すると、可逆的に変色する
ことを特徴とするウエディングドレス。
【請求項２】
前記色彩可変部の少なくとも一部が、前記顔料を含む生糸により、前記生地に施された刺繍からなる請求項１記載のウエディングドレス。
【請求項３】
前記色彩可変部の少なくとも一部が、前記顔料を含むインクもしくは塗料により、前記生地に施された描画からなる請求項１記載のウエディングドレス。
【請求項４】
前記色彩可変部の少なくとも一部が、生糸により、前記生地に施された刺繍と、前記刺繍に塗布された前記顔料を含むインクもしくは塗料からなる請求項１記載のウエディングドレス。
【請求項５】
前記色彩可変部は、紫外線を照射する前には、前記生地と実質的に同じ色彩を有し、紫外線を照射すると発色して、前記色彩可変部が前記生地から浮かび上がる請求項１〜４のいずれかに記載のウエディングドレス。
【請求項６】
前記顔料が、スピロオキサジン化合物、スピロペラン化合物およびナフトオキサジン化合物よりなる群から選択される少なくとも１種からなる請求項１記載のウエディングドレス。
【発明の詳細な説明】
【技術分野】
【０００１】  本発明は、結婚式などで新婦が着用するウエディングドレスに関する。
【背景技術】
【０００２】  結婚式やそれに関連するパーティなどで新婦が着用するウエディングドレスは、大勢の人々の前で着用されるものであり、新郎新婦にとっては一生の思い出を演出するものである。従って、ウエディングドレスは、普段着とは違って、以下のような特徴を有する。【０００３】（１）ウエディングドレスは、新郎新婦はもちろんのこと、その家族や友人らに対しても感動を与え得るものでなければならない。すなわち、ウエディングドレスは、周囲の人々に対して、新婦を美しく、清楚かつ華やかに演出するものでなければならない。そのような演出のために、ウエディングドレスには、様々な装飾が施されることが多い。【０００４】（２）近年は、海外挙式、レストランウエディング、ガーデンウエディングなどが増加し、結婚式において屋内と屋外とを有効活用した演出がなされることが多い。従って、ウエディングドレスは、屋内と屋外の両方で新婦を存分に演出するものであることが望まれる。【０００５】（３）ウエディングドレスの着用回数は、普段着に比べて極めて少なく、通常は、着用時間も短時間（約２〜３時間）である。従って、ウエディングドレスが屋外で着用される場合でも、太陽光に曝される時間は、通常、短時間である。【０００６】（４）ウエディングドレスは、通常高価であるため、ウエディングドレスの原材料費がある程度高額になっても、一着のウエディングドレスが売れれば生産者にとっては、かなりの利益を見込むことができる。【０００７】  結婚式は、新婦にとっては、一生に一度の晴れ舞台であるから、一着だけのウエディングドレスで儀式を終えるよりも、複数のウエディングドレスを着用して、できるだけ多くの姿を家族や友人に見てもらいたいと考えるものである。特に、レストランウエディングやガーデンウエディングなどのように、屋内と屋外とを有効活用した演出がなされる場合には、場所に合わせてドレスを着替えたいと考えることも多い。【０００８】  しかし、ウエディングドレスは、通常高価であるため、需要者にとって、何着ものウエディングドレスを購入することは困難である。また、一旦着用したウエディングドレスを脱いで、別のウエディングドレスに着替えるためには、大変な手間を要するため、演出上の観点から、着替えを行う時間を確保できないこともある。【０００９】  ところで、近年、太陽光により、可逆的に消色と発色とを繰り返すフォトクロミズム現象を呈する顔料が開発されており、その特性を有効活用し得る用途が模索されている。しかし、このような顔料は、耐光性が極めて低く、長時間太陽光に曝されると劣化してしまい、フォトクロミズム現象が見られなくなる。そのため、フォトクロミズム現象を呈する顔料の用途は、極めて限られた領域とならざるを得ない。【００１０】  そこで、フォトクロミズム現象を呈する顔料の耐光性を向上させる検討がなされているが（特許文献１参照）、未だ十分な結果は得られていない。フォトクロミズム現象を呈するには、顔料が太陽光を吸収する必要がある。従って、耐光性を向上させる手段を講じ、太陽光が十分に顔料に照射されなければ、当然にフォトクロミズム現象の発現が不十分になる。すなわち、耐光性の向上とフォトクロミズム現象の発現とは、互いに��レードオフの関係にある。【００１１】  フォトクロミズム現象を呈する顔料を、刺繍糸に適用することも提案されているが、仮にそのような刺繍糸で一般衣料品に装飾を施したとしても、耐光性に問題があるため長持ちせず、その上刺繍糸が高価であるためコストが高くなるという問題がある。しかも、通常の生活においては、服装の変色という演出が要求されることもない。着用者が室内から室外へ出た瞬間に、服装に変色が起こったとしても、誰が見ているわけでもなく、演出の意味も生じない。さらに、一般衣料は、通常、室内で販売されるものであり、着用者は、室内での衣料の絵柄や色合いが気に入ったからこそ購入するものである。屋外に出ると変色して印象が変わってしまうような衣料は、却って購買意欲を失わせる結果となることもある。
【特許文献１】特開平１０−１６８４３８号公報
【発明の開示】
【発明が解決しようとする課題】
【００１２】  本発明は、上記状況を鑑み、フォトクロミズム現象を呈する顔料を有効利用する用途を提供するとともに、ウエディングドレスに対する演出上の要求や着用者の要望を最大限に満たすことを課題とするものである。かかる観点から、本発明は、一着でも複数着の役割を果たすとともに、演出上の観点からも人々に感動を人々に与えることができる、フォトクロミズム現象を呈する顔料を利用したウエディングドレスを提供することを目的とする。
【課題を解決するための手段】
【００１３】  すなわち、本発明は、生地および生地に施された装飾からなり、装飾の少なくとも一部が、色彩可変部からなり、色彩可変部は、フォトクロミズム現象を呈する顔料を含み、顔料は、紫外線を照射すると、可逆的に変色することを特徴とするウエディングドレスに関する。【００１４】  本発明においては、例えば、前記顔料を含む生糸により生地に施された刺繍からなる装飾を、色彩可変部の少なくとも一部とすることができる。
本発明においては、また、前記顔料を含むインクもしくは塗料により生地に施された描画を、色彩可変部の少なくとも一部とすることができる。
本発明においては、また、生糸により生地に施された刺繍と、その刺繍に塗布された前記顔料を含むインクもしくは塗料からなる装飾を、色彩可変部の少なくとも一部とすることができる。【００１５】  演出効果を高める観点からは、色彩可変部は、紫外線を照射する前には、生地と実質的に同じ色彩を有し、紫外線を照射すると発色して、色彩可変部が生地から浮かび上がることが望ましい。【００１６】  前記顔料には、例えば、スピロオキサジン化合物、スピロペラン化合物およびナフトオキサジン化合物よりなる群から選択される少なくとも１種を用いることができる。
前記顔料には、例えば、下記一般式（１）：【００１７】
【化１】
2006097214.tif 000002
（但し、Ｒ１は、水素原子、アルコキシ基またはハロゲン原子であり、Ｒ３およびＲ４は、それぞれアルキル基であり、Ｒ５は、ピペリジン基、モルホリン基、Ｎ−メチルピペラジノ基、Ｎ−フェニルピペラジノ基、テトラヒドロイソキノリノ基、インドリノ基、チオモルホリノ基、ホモピペリジノ基、１，２，３，４，４ａ，９ａ−ヘキサヒドロカルバゾリノ基またはアジリジノ基であり、Ｒ６は、水素原子またはアルコキシ基であり、ＸおよびＹは、それぞれ−ＣＨ＝または−Ｎ＝を表す。）で表される化合物からなり、Ｒ２が、アルキルセレノール基である顔料を用いることができる。
【発明の効果】
【００１８】  本発明によれば、屋内と屋外とを有効活用した演出がなされる結婚式やそれに関連するパーティにおいて、新婦のために複数着のウエディングドレスを購入しなくても、一着だけのドレスで複数の趣を演出することができる。また、複数のウエディングドレスに着替える手間を要することがなく、屋内から屋外に移動する際に、ウエディングドレスの装飾に色変化が起こるため、周囲の人々に大きな感動を与えることができ、演出上の観点からも優れた効果を期待できる。【００１９】  また、フォトクロミズム現象を呈する顔料は、耐光性、コスト、需要等の観点から、一般衣料品に適用することは困難であるが、ウエディングドレスの場合は、着用回数が限られ、着用時間も短時間であることから、そのような顔料の欠点は事実上問題にならない。従って、本発明は、フォトクロミズム現象を呈する顔料に、その優れた特性だけを有効活用できる優れた用途を付与するものであり、顔料の価値を高めるという効果もある。
【発明を実施するための最良の形態】
【００２０】  本発明のウエディングドレスは、生地および生地に施された装飾からなり、装飾の少なくとも一部は色彩可変部からなる。ウエディングドレスの生地は、通常、トップ、トップに続くスカート部、スカート部に続く裾部にあたるトレーン部を構成するが、ウエディングドレスの種類によっては、トレーン部がないものもある。生地に施される装飾は、トップ、スカート部およびトレーン部のいずれの箇所に施すこともできるが、色彩可変部は、ゲストの視野に入りやすいトップおよび／またはスカート部の上部に施すことが好ましく、ゲストに与える感動も大きくなる。【００２１】  本発明で用いるウエディングドレスの生地の種類は、特に限定されず、従来からウエディングドレスに用いられている織布もしくは不織布であれば、いずれも用いることができる。【００２２】  色彩可変部は、フォトクロミズム現象を呈する顔料を含む。本発明に係るフォトクロミズム現象を呈する顔料は、紫外線を照射すると、可逆的に変色する。紫外線は、太陽光に含まれており、室内用照明が発する光には、紫外線はほとんど含まれていない。従って、このような顔料を含む色彩可変部は、室内と室外とで異なった色彩を呈する。【００２３】  フォトクロミズム現象には様々な態様があるが、ウエディングドレスの生地は白色系の色彩を有するものが多いことから、本発明で用いる顔料は、紫外線の照射により白色から他の色彩に変色する（発色する）現象を呈することが好ましい。色彩可変部が白色から他の色彩に変色する現象を呈することにより、室内から室外へ移動した際に、色彩可変部の輪郭と発色時の色彩が生地から浮かび上がるため、ゲストや鑑賞者に対する演出効果を高めることができる。【００２４】  色彩可変部は、一定量の紫外線を照射すると急激に変色するものでもよいが、時間をかけて徐々に変色していくものでもよい。後者の場合には、鑑賞者は色彩が変遷する様を鑑賞することができ、急激に変色する場合とは違った趣を表現することができる。【００２５】  色彩可変部は、例えば、フォトクロミズム現象を呈する顔料を含む生糸により、ウエディングドレスの生地に刺繍を施すことで形成される。この方法は、刺繍を施すだけで色彩可変部を設けることができるという手軽さ、容易さ、バリエーションの豊富さなどの観点から有利な方法である。フォトクロミズム現象を呈する顔料を含む生糸は、原料生糸に顔料をまぶしたり、塗布したりして作製することができる。ただし、このような刺繍糸は、耐候性や耐光性が不十分となりやすいため、フォトクロミズム現象を呈する顔料を練り込んだ樹脂を紡糸して刺繍糸として用いることが望ましい。顔料を練り込む樹脂としては、ポリオレフィン樹脂が好ましく、ポリプロピレン樹脂が特に好ましい。【００２６】  顔料を練り込んだ樹脂を紡糸して得られる刺繍糸は、製造工程上の制限により、比較的太くなることから、振り巾が密になり過ぎないように刺繍を施すことが望ましい。振り巾が密になりすぎると、装飾の美しさが損なわれる傾向がある。また、針目が短過ぎると、柄が不明瞭となる傾向がある。【００２７】  色彩可変部は、また、フォトクロミズム現象を呈する顔料を含むインクもしくは塗料により、ウエディングドレスの生��に描画を施すことで形成される。この方法は、仕立て上がりの状態で販売されるウエディングドレスへの適用が容易な点で有利である。インクや塗料は、直接、ウエディングドレスの生地に付着することもできるが、鉱物質の微粉末からなるパウダーで前処理をした生地部分に付着させる方が、ムラなく、均一な塗布ができる点で好ましい。インクや塗料で描画を施す方法としては、特に制限はなく、職人が描いてもよいし、所定の既成の模様もしくは絵柄をプリントして、効率的に描画を行ってもよい。鉱物質の微粉末としては、例えば滑石（ロウ石：Ｍｇ３（Ｓｉ４Ｏ１０）（ＯＨ）２）、チタニア、アルミナ、シリカなどからなるものを用いることができるが、これに限定されない。【００２８】  色彩可変部は、また、生糸により生地に刺繍を施し、その刺繍にフォトクロミズム現象を呈する顔料を含むインクもしくは塗料を塗布することで形成される。このような方法は、既に仕立て上げられているウエディングドレスに後から装飾を施すことが容易である上、フルオーダーで作製されるドレス以外にも適用可能であるため、ドレスの価格を抑えられることができる点で有利である。この場合にも、鉱物質の微粉末からなるパウダーで前処理をした刺繍部分にインクや塗料を付着させる方が好ましい。なお、刺繍糸としては、フォトクロミズム現象を呈する顔料を含まない生糸を用いることもできるが、フォトクロミズム現象を呈する顔料を含む生糸を用いることにより、色彩の変化をより鮮明に演出することが可能になる。【００２９】  他に、ウエディングドレスの生地に、フォトクロミズム現象を呈する顔料を含む織布もしくは不織布の布帛を縫いつけ、もしくは貼り付けることにより、色彩可変部を形成してもよい。このような方法は、刺繍や描画を施す場合に比べて、装飾の形成に要する手間が省け、ドレスの製造コストを大幅に削減できる点で有利である。さらに、装飾の位置や大きさの微調整に関し、遠隔地に居るドレスの発注者と意思の疎通を図る場合に、装飾部分のみを移動させればよく、ドレス全体を移動させる必要がないという手軽さもある。【００３０】  本発明においては、高度な耐光性までは要求されないことから、フォトクロミズム現象を呈する顔料として、耐光性が比較的低いものでも用いることができる。例えば、スピロオキサジン化合物、スピロペラン化合物、ナフトオキサジン化合物などを用いることができる。これらのうちでは、耐光性が比較的優れていることから、下記一般式（１）：【００３１】
【化２】
2006097214.tif 000003
【００３２】（但し、Ｒ１は、水素原子、アルコキシ基またはハロゲン原子であり、Ｒ３およびＲ４は、それぞれアルキル基であり、Ｒ５は、ピペリジン基、モルホリン基、Ｎ−メチルピペラジノ基、Ｎ−フェニルピペラジノ基、テトラヒドロイソキノリノ基、インドリノ基、チオモルホリノ基、ホモピペリジノ基、１，２，３，４，４ａ，９ａ−ヘキサヒドロカルバゾリノ基またはアジリジノ基であり、Ｒ６は、水素原子またはアルコキシ基であり、ＸおよびＹは、それぞれ−ＣＨ＝または−Ｎ＝を表す。）で表される化合物からなり、Ｒ２が、アルキルセレノール基である顔料が特に好ましい。なお、アルキルセレノール基としては、メチルセレノール基が好ましい。【００３３】  フォトクロミズム現象を呈する顔料を練り込んだ樹脂を紡糸した刺繍糸のうち、糸切れ、光堅牢度の観点から好ましいものとして、米国ワゴンマーク社製の刺繍糸を挙げることができる。刺繍糸の色の種類としては、例えば黄、オレンジ、桃、青、赤、紫、緑などがあり、いずれも商業的に入手可能である。これらの刺繍糸は、屋内では白色であり、紫外線を照射すると所定の色彩に発色する。【００３４】  フォトクロミズム現象を呈する顔料を含むインクもしくは塗料のうち、屋内では白色であり、紫外線を照射すると所定の色彩に発色するもので、光堅牢度、洗濯堅牢度の観点から好ましいものとして、（株）記録素材総合研究所製のサニーカラー（商品名）を挙げることができる。色の種類としては、例えば青、紫、黄、緑、桃、赤紫などがあり、これらを配合することで、任意の色彩を得ることも可能である。【００３５】  塗料やインクは、ウエディングドレスの生地に塗布した後、８０℃〜１００℃で１〜３分間程度乾燥させ、その後１１０℃〜１３０℃で１〜３分間程度加熱処理して、生地に定着させることが望ましい。加熱処理は、例えばアイロンを用いて行うことができる。【００３６】  サニーカラーの光堅牢度と洗濯堅牢度を色別に以下の表１に示す。
試料には、ウエディングドレス用の白色生地に、青、紫、黄、緑、桃、赤紫のサニーカラーを塗布し、１００℃で２分間乾燥後、１２０℃で３分間の加熱処理を施して、顔料を生地に定着させたものを用いた。【００３７】（表１）
光堅牢度（時間）          洗濯堅牢度（回）
青                    ６００                  １００
紫                    ５００                  １００
黄                    ５００                  １００
緑                    ５００                  １００
桃                    ２００                    ８０
赤紫                  １２０                    ６０
【実施例１】
【００３８】  ポリプロピレン樹脂にフォトクロミズム現象を呈する顔料を練り込み、紡糸した米国ワゴンマーク社製の刺繍糸（カラーＮｏ．１０３（桃））を用い、ウエディングドレスのトップおよびスカート部に所定の模様の刺繍を施した。
得られたウエディングドレスにおいて、室内ではほとんど模様を視認することはできなかったが、屋外で太陽光に照らされた瞬間に、桃色の模様が浮かび上がり、十分な演出効果を得ることができた。屋外でウエディングドレスを５分間太陽光に曝したのち、屋外から屋内へ移動したところ、桃色の模様は消失した。同じ操作を１０回繰り返したところ、１０回目においても、ほぼ同様の効果を得ることができた。
【実施例２】
【００３９】  フォトクロミズム現象を呈する顔料を含まない、通常の白色の生糸で、ウエディングドレスに所定の刺繍を施した。その刺繍部分に、鉱物質のパウダーを散布し、その上に、（株）記録素材総合研究所製のフォトクロミズム現象を呈する顔料を含む水性インク（サニーカラー（商品名）：桃）を塗布した。塗布されたインクを１００℃で２分間乾燥し、その後、１２０℃のアイロンを３分間当てて、顔料を刺繍部分に定着させた。【００４０】  得られたウエディングドレスにおいて、室内ではほとんど模様を視認することはできなかったが、屋外で太陽光に照らされた瞬間に、桃色の模様が浮かび上がり、十分な演出効果を得ることができた。屋外でウエディングドレスを５分間太陽光に曝したのち、屋外から屋内へ移動したところ、桃色の模様は消失した。同じ操作を１０回繰り返したところ、１０回目においても、ほぼ同様の効果を得ることができた。
【産業上の利用可能性】
【００４１】  本発明のウエディングドレスは、フォトクロミズム現象を呈する顔料の分野およびウエディングドレスの分野において、互いに両者の産業上の価値を高めるものである。本発明のウエディングドレスは、屋内と屋外とで、それぞれ異なった趣を演出するものであり、屋内と屋外の両方を利用して行われる結婚式およびそれに関連するパーティなどで新婦が着用するウエディングドレスに適している。